(57)【要約】【課題】配線や電材部品への悪影響をなくして好適な防振効果を得る。【解決手段】モータ３を収容する筒状のモータハウジング２の前方に、前後方向に往復動可能なスライダと、モータ３の出力軸４の回転をスライダの往復動に変換するクランク機構とからなる出力部を収容したクランクハウジング５を連結する一方、モータハウジング２の後方に、後端にハンドル１０が形成されるハンドルハウジング６を連結してなるレシプロソー１において、ハンドル１０に、第１〜第３弾性部材２６〜２８を介してカバー２３を装着した。【選択図】図５
2015166115.tif 000002
【特許請求の範囲】
【請求項１】
前後方向への往復動機構を備えた出力部の後方に、ハンドルを備えた往復動工具であって、
前記ハンドルに、弾性部材を介してカバーを装着したことを特徴とする往復動工具。
【請求項２】
前記カバーは、左右の半割カバーを組み付けて形成されることを特徴とする請求項１に記載の往復動工具。
【請求項３】
前記ハンドルは、前記出力部の後方直線上に配置されることを特徴とする請求項１又は２に記載の往復動工具。
【請求項４】
前記出力部の後方に、モータを収容するモータハウジングを備え、前記モータハウジングと前記ハンドルとを一体に形成したことを特徴とする請求項１乃至３の何れかに記載の往復動工具。
【発明の詳細な説明】
【技術分野】
【０００１】
本発明は、出力部に往復動機構を備えたレシプロソー等の往復動工具に関する。
【背景技術】
【０００２】
レシプロソー等の出力部に往復動機構を備えた往復動工具においては、出力部で発生した振動がハンドルを把持する作業者の手にそのまま伝わらないように、防振ハンドルが採用される場合がある。この防振ハンドルとしては、例えば特許文献１に開示のように、出力部側のハウジングとハンドルとを分離させて、ハンドルの一端部とハウジングとの間に、弾性支持部材と弾性体とからなる弾性手段を介在させ、ハンドルの他端部とハウジングとの間に、ハンドルを一端部がハウジングから離れる方向へ回転付勢する付勢手段を介在させる発明が知られている。
【先行技術文献】
【特許文献】
【０００３】
【特許文献１】特開２００７−３３１０７２号公報
【発明の概要】
【発明が解決しようとする課題】
【０００４】
上記従来の防振ハンドルにおいては、レシプロソーのように振動が大きい場合、ハウジング側のモータからハンドル内のスイッチ等へ配線されるリード線が損傷するおそれがある。また、ハウジングとハンドルとの間に弾性手段の伸縮量以上のクリアランスを設ける必要があるが、このクリアランスによって水や粉塵等が浸入し、スイッチ等の電材部品を故障させたり短絡させたりするおそれもある。
【０００５】
そこで、本発明は、配線や電材部品への悪影響をなくして好適な防振効果が得られる往復動工具を提供することを目的としたものである。
【課題を解決するための手段】
【０００６】
上記目的を達成するために、請求項１に記載の発明は、前後方向への往復動機構を備えた出力部の後方に、ハンドルを備えた往復動工具であって、ハンドルに、弾性部材を介してカバーを装着したことを特徴とするものである。
請求項２に記載の発明は、請求項１の構成において、カバーは、左右の半割カバーを組み付けて形成されることを特徴とするものである。
請求項３に記載の発明は、請求項１又は２の構成において、ハンドルは、出力部の後方直線上に配置されることを特徴とするものである。
請求項４に記載の発明は、請求項１乃至３の何れかの構成において、出力部の後方に、モータを収容するモータハウジングを備え、モータハウジングとハンドルとを一体に形成したことを特徴とするものである。
【発明の効果】
【０００７】
本発明によれば、ハンドルに、弾性部材を介してカバーを装着したことで、従来のようにハンドルを分離させる必要がなくなり、配線や電材部品への悪影響をなくして好適な防振効果を得ることができる。
【図面の簡単な説明】
【０００８】
【図１】レシプロソーの斜視図である。
【図２】レシプロソーの平面図である。
【図３】レシプロソーの側面図である。
【図４】レシプロソーの背面図である。
【図５】レシプロソーの一部縦断面図である。
【図６】図５のＡ−Ａ線断面図である。
【図７】図５のＢ−Ｂ線断面図である。
【図８】図５のＣ−Ｃ線断面図である。
【図９】右側の半割カバーを省略したレシプロソーの平面図である。
【図１０】右側の半割カバーを省略したレシプロソーの側面図である。
【図１１】右側の半割カバーを省略したレシプロソーの背面図である。
【発明を実施するための形態】
【０００９】
以下、本発明の実施の形態を図面に基づいて説明する。
図１は、往復動工具の一例であるレシプロソーの斜視図、図２は平面図、図３は側面図、図４は背面図、図５は一部縦断面図である。レシプロソー１は、モータ３を収容する筒状のモータハウジング２の前方に、前後方向に往復動可能な図示しないスライダと、モータ３の出力軸４の回転をスライダの往復動に変換するクランク機構とからなる出力部を収容したクランクハウジング５を連結する一方、モータハウジング２の後方に、ハンドルハウジング６を連結してなる。７は、クランクハウジング５の外周を覆うゴムカバーで、クランクハウジング５から突出するスライダの前端には、図示しないブレードを装着可能なホルダ８が設けられている。ホルダ８の下方には、ブレードが貫通するガイドシュー９が設けられている。
【００１０】
ハンドルハウジング６は、出力部の後方直線上に位置するハンドル１０を後部に備えたループ状で、左右の半割ハウジング６ａ，６ｂをネジ１１，１１・・で組み付けて形成される。モータハウジング２の後端には、外周に外リブ１３，１３を周設した筒部１２が同軸で突設されて、半割ハウジング６ａ，６ｂの前端内周には、組み付け状態で筒部１２に外嵌して外リブ１３と互い違いに係合する内リブ１５，１５を有する半筒部１４が形成されている。ここでは左右から半筒部１４，１４で筒部１２を挟んで半割ハウジング６ａ，６ｂ同士をネジ止めすることで、ハンドルハウジング６はモータハウジング２の後方へ連続状に連結される。筒部１２の内側では、軸受１７を保持するベアリングボックス１６が支持されて、モータ３の出力軸４の後端を軸支している。
【００１１】
ハンドルハウジング６の前側の両側面には、複数の吸気口１８，１８・・が形成され、クランクハウジング５の側面及び下面には、複数の排気口１９，１９・・が形成されて、出力軸４の前端に設けた図示しないファンの回転により、吸気口１８から外気を吸い込んで排気口１９から排出させてモータ３を冷却可能としている。
ハンドル１０内の上部には、前方へ突出するトリガ２１を備えたスイッチ２０が収容されている。ハンドル１０の下端には、電源コード２２が接続されている。
【００１２】
そして、ハンドルハウジング６の外側には、カバー２３が設けられている。このカバー２３は、ハンドルハウジング６と同様に左右の半割カバー２３ａ，２３ｂをネジ２４，２４・・で組み付けて形成されるもので、電源コード２２の引き出し部を除くハンドル１０の略全体からハンドルハウジング６の上部にかけて覆う側面視倒Ｌ字状となっている。前方には、トリガ２１を露出させる開口２５が形成されている。
また、カバー２３とハンドルハウジング６との間には、第１〜第３弾性部材２６〜２８が配置されている。この第１〜第３弾性部材２６〜２８は、何れも硬度の低いＮＢＲ（ニトリルゴム）製で、第１弾性部材２６は、図９〜１１にも示すように、左右の半割カバー２３ａ，２３ｂの内面に形成された２つの受け座２９，２９によって左右方向に保持される前後一対の棒状体で、ハンドルハウジング６の上面に当接する。この受け座２９は、半割カバー２３ａ，２３ｂを上側でネジ止めするボス３０，３０の間に設けられて、ボス３０よりも下側へ高く突設されている。
【００１３】
第２弾性部材２７は、図６に示すように、トリガ２１の後方でハンドル１０の後面から左右の側面にかけて当接する平面視Ｕ字状の帯状体で、半割カバー２３ａ，２３ｂの内面に立設されたリブ３１，３１によって保持されている。
第３弾性部材２８は、図７，８に示すように、第２弾性部材２７の下方でハンドル１０の全周を覆う帯状体で、上下一対設けられ、半割カバー２３ａ，２３ｂの内面に立設されたリブ３２，３２によって保持されている。第２弾性部材２７は、第３弾性部材２８よりも幅広となっている。第３弾性部材２８の下方でカバー２３の下端には、下方へ向けて広がる拡開部３３が形成されて、拡開部３３内に、ハンドル１０の前後で半割カバー２３ａ，２３ｂをネジ止めするボス３４，３４が設けられている。
これらの第１〜第３弾性部材２６〜２８により、カバー２３は、ハンドルハウジング６と非接触状態でハンドル１０部分を覆うようになっている。
【００１４】
以上の如く構成されたレシプロソー１においては、カバー２３越しにハンドル１０を把持することができ、把持した手でトリガ２１を押し込み操作すると、スイッチ２０がＯＮ動作してモータ３に電源が供給され、出力軸４の回転がクランク機構を介してスライダの往復動に変換される。よって、スライダに装着したブレードによって被切断材の切断が可能となる。
この切断時の抵抗等によって振動が発生しても、ハンドル１０とカバー２３との間には、第１〜第３弾性部材２６〜２８が介在されているので、第１〜第３弾性部材２６〜２８によって振動が吸収され、カバー２３を把持する手に伝わる振動は低減される。特にここでは、ハンドルハウジング６は従来の防振ハンドルのようにハンドル１０の部分で分離されないので、スイッチ２０へ配線されるリード線が振動によって損傷するおそれがなくなると共に、水や粉塵等の浸入によるスイッチ２０の故障や短絡のおそれもなくなる。
【００１５】
このように、上記形態のレシプロソー１によれば、ハンドル１０に、第１〜第３弾性部材２６〜２８を介してカバー２３を装着したことで、従来のようにハンドルを分離させる必要がなくなり、配線や電材部品への悪影響をなくして好適な防振効果を得ることができる。また、既存のレシプロソーにカバー２３を付加すれば防振ハンドルとして使用できるため、ハンドルを分離させて弾性手段等を介在させる従来の防振ハンドルに比べて低コストとなる。
【００１６】
特にここでは、カバー２３を、左右の半割カバー２３ａ，２３ｂを組み付けて形成しているので、ハンドル１０に対するカバー２３の組み付けが容易に行えるようになっている。
また、ハンドル１０は、出力部の後方直線上に配置されるので、レシプロソー１の支持がし易くなっている。
【００１７】
なお、弾性部材の数や形状は上記形態に限らず、数を増減したり、面積を増やしたり、配置を変更したり等適宜変更可能である。また、特性（固有振動数）が異なる複数の弾性材料を積層して弾性部材を形成することもできる。
カバーも、半割カバーを上端や後端に設けたヒンジで結合したり、ネジ止めに代えて係止片等の係止部と係止孔等の被係止部との係止によって組み付けるようにすることもできる。
一方、レシプロソーも、上記形態ではモータハウジングとハンドルハウジングとが別体で形成されているが、両ハウジングが一体で形成されるものであっても差し支えない。ハンドルもループ状に限定しない。
【００１８】
その他、本発明は、レシプロソーに限らず、出力部に往復動機構を備えたものであれば、電動ハンマやハンマドリル等の他の電動工具にも適用可能である。
【符号の説明】
【００１９】
１・・レシプロソー、２・・モータハウジング、３・・モータ、４・・出力軸、５・・クランクハウジング、６・・ハンドルハウジング、１０・・ハンドル、２０・・スイッチ、２３・・カバー、２６・・第１弾性部材、２７・・第２弾性部材、２８・・第３弾性部材、２９・・受け座、３１，３２・・リブ。
【図１】
2015166115.tif 000003
【図２】
2015166115.tif 000004
【図３】
2015166115.tif 000005
【図４】
2015166115.tif 000006
【図５】
2015166115.tif 000007
【図６】
2015166115.tif 000008
【図７】
2015166115.tif 000009
【図８】
2015166115.tif 000010
【図９】
2015166115.tif 000011
【図１０】
2015166115.tif 000012
【図１１】
2015166115.tif 000013